(57)【要約】【課題】形成画像の画質特性を容易に調整可能な画像出力装置を提供すること。【解決手段】入力する画像情報に応じた画像を形成する画像形成装置２と、当該画像形成装置２を含む装置全体を制御する制御装置３とを備えた画像表示装置１であって、制御装置３は、画像形成装置２で形成される画像の画質を所定の画質に補正する補正値を記憶する補正値記憶部３６１と、画像形成装置２の累積駆動時間と、当該累積駆動時間に応じて変化する形成画像の画質の変化値とを関連付けて記憶した変化値記憶部３６２とを有する記憶手段３６と、補正値に基づいて形成画像の画質を補正する画質補正手段３２と、画像形成装置２の累積駆動時間を計時する計時手段３４と、計時手段３４により計時された累積駆動時間に対応する変化値に基づいて、補正値を更新する補正値更新手段３５とを備える。【選択図】図１
2007199290.tif 000002
【特許請求の範囲】
【請求項１】
入力する画像情報に応じた画像を形成する画像形成装置と、当該画像形成装置を含む装置全体を制御する制御装置とを備えた画像表示装置であって、
前記制御装置は、
前記画像形成装置で形成される画像の画質を所定の画質に補正する補正値を記憶する補正値記憶部と、
前記画像形成装置の累積駆動時間と、前記累積駆動時間に応じて変化する前記形成画像の画質の変化値とを関連付けて記憶した変化値記憶部とを有する記憶手段と、
前記補正値に基づいて、前記形成画像の画質を補正する画質補正手段と、
前記画像形成装置の累積駆動時間を計時する計時手段と、
前記計時手段により計時された前記累積駆動時間に対応する前記変化値に基づいて、前記補正値を更新する補正値更新手段と、
を備えることを特徴とする画像表示装置。
【請求項２】
請求項１に記載の画像表示装置において、
前記記憶手段は、
前記所定の画質を示す補正基準値を記憶する基準値記憶部を有し、
前記補正値更新手段は、
前記補正基準値に前記変化値を調整する補正値を生成する補正値生成部と、
前記補正値生成部で生成された前記補正値で、前記補正値記憶部に記憶された前記補正値を更新する補正値更新部と、
を備えることを特徴とする画像表示装置。
【請求項３】
請求項２に記載の画像表示装置において、
前記制御装置に所定の動作を実行させる操作信号を出力する操作手段を備え、
前記制御装置は、
前記画像形成装置に、前記形成画像の画質を調整するメニュー画面を形成させるメニュー表示手段を備え、
前記補正値更新手段は、
前記メニュー画面の表示中に前記操作手段から入力する前記操作信号に応じて、前記補正基準値を更新する基準値更新部を備えることを特徴とする画像表示装置。
【請求項４】
請求項１から請求項３のいずれかに記載の画像表示装置において、
前記画像形成装置は、
光源と、
前記光源から射出された光束を、前記画像情報に応じて変調して前記画像を形成する光変調装置と、
前記光源から射出された光束の光路上に配置され、入射光束を光学的に変換する光学素子とを備え、
前記計時手段は、
前記光源の累積点灯時間を計時する第１計時部と、
前記光変調装置および前記光学素子の少なくともいずれかの累積使用時間を計時する第２計時部とを備え、
前記累積駆動時間は、前記第１計時部で計時された前記累積点灯時間、および、前記第２計時部で計時された前記累積使用時間を含むことを特徴とする画像表示装置。
【請求項５】
請求項４に記載の画像表示装置において、
前記光源は、交換可能に構成され、
前記第１計時部は、前記光源が交換されると、前記累積点灯時間をリセットすることを特徴とする画像表示装置。
【請求項６】
請求項４または請求項５に記載の画像表示装置において、
前記変化値は、前記画像形成装置で形成される白色画像の色座標値、および、前記光源から射出される光束の色座標値のうち、少なくともいずれかを含むことを特徴とする画像表示装置。
【発明の詳細な説明】
【技術分野】
【０００１】
本発明は、入力する画像情報に応じた画像を形成する画像形成装置と、前記画像形成装置を含む装置全体を制御する制御装置とを備えた画像表示装置に関する。
【背景技術】
【０００２】
従来、画像表示装置として、光源と、当該光源から射出された光束を画像情報に応じて変調して画像を形成する光変調装置と、当該光変調装置で形成された画像を拡大投射する投射光学系とを備えたプロジェクタが知られている。このようなプロジェクタに用いられる光変調装置として、液晶パネルや、マイクロミラーを用いたデバイス等が挙げられる。
このような液晶パネルを用いたプロジェクタとして、光源から射出された光束を、赤（Ｒ）、緑（Ｇ）、青（Ｂ）の三色の色光に分離する分離光学系と、当該色光ごとに設けられ、それぞれの色光を変調して各色光に応じた色画像を形成する３つの液晶パネルと、各色画像を合成してフルカラーの投射画像を形成する色合成光学装置とを備えた、いわゆる三板式プロジェクタが知られている。
【０００３】
ここで、三板式プロジェクタに用いられる液晶パネルの透過特性は、非線形なＳ字カーブを有し、各液晶パネルで透過特性が異なるため、各液晶パネルの駆動を調整する必要がある。このような必要性から、液晶プロジェクタから出力される画像を輝度計および色彩計で測定し、各計器で取得した輝度データおよび色差データからガンマ補正値を算出して、液晶プロジェクタのメモリに記憶されたＬＵＴ（ルックアップテーブル）に書き込む方法が知られている（例えば、特許文献１参照）。
この特許文献１に記載の方法によれば、液晶プロジェクタが、ＬＵＴに設定されたガンマ補正値に基づいて各液晶パネルを駆動することにより、より自然に近い画像を形成表示することができる。
【０００４】
【特許文献１】特開２００１−２３８２２７号公報
【発明の開示】
【発明が解決しようとする課題】
【０００５】
しかしながら、特許文献１に記載の方法は、プロジェクタの製造段階で行われる方法であり、出荷された後の使用に基づく光学特性等の変化により、生成される画像生成特性が変化してしまうことに対応できないという問題がある。
すなわち、プロジェクタ内に設けられた偏光板等の光学素子やランプが経年変化等により劣化し、画像形成特性が変化してしまうと、ＬＵＴに設定されたガンマ補正値に基づいて各液晶パネルを駆動しても、自然に近い画像の形成表示を行うことができなくなってしまう。このため、現在のプロジェクタの状況に応じたガンマ補正値をＬＵＴに書き込む必要が生じるが、このような場合、輝度計および色彩計が設置された工場等にプロジェクタを持ち込む必要があり、使用者にとって面倒であるという問題がある。
【０００６】
一方、製品としてのプロジェクタの機種が異なると、光学特性および画質特性、ひいては内部回路も異なるため、機種に応じた調整装置が必要となる。しかしながら、古い機種の調整装置は、新しい機種の調整装置に転用されたり廃却されたりする場合があるため、調整したい機種に応じた調整装置を確保できない可能性がある。このような場合、工場等にプロジェクタを持ち込んでもＬＵＴの更新を行うことができないという問題がある。
以上のような問題は、３板式液晶プロジェクタに限らず、単板式液晶プロジェクタ、液晶ディスプレイ、プラズマディスプレイ（ＰＤＰ）、有機ＥＬディスプレイなどの各種画像出力装置に共通する問題である。
【０００７】
本発明の目的は、形成画像の画質特性を容易に調整可能な画像表示装置を提供することである。
【課題を解決するための手段】
【０００８】
前記した目的を達成するために、本発明の画像表示装置は、入力する画像情報に応じた画像を形成する画像形成装置と、当該画像形成装置を含む装置全体を制御する制御装置とを備えた画像表示装置であって、前記制御装置は、前記画像形成装置で形成される画像の画質を所定の画質に補正する補正値を記憶する補正値記憶部と、前記画像形成装置の累積駆動時間と、前記累積駆動時間に応じて変化する前記形成画像の画質の変化値とを関連付けて記憶した変化値記憶部とを有する記憶手段と、前記補正値に基づいて、前記形成画像の画質を補正する画質補正手段と、前記画像形成装置の累積駆動時間を計時する計時手段と、前記計時手段により計時された前記累積駆動時間に対応する前記変化値に基づいて、前記補正値を更新する補正値更新手段と、を備えることを特徴とする。
【０００９】
本発明によれば、計時手段が、画像形成装置の累積駆動時間を計時し、補正値更新手段が、計時手段で計時された累積駆動時間に応じた画質の変化値に基づいて、第１記憶手段に記憶された補正値を更新する。これによれば、更新された補正値に基づいて、画質補正手段が、画像形成装置で形成される画像の画質を補正することができるので、現在の画像形成装置で形成される画像の画質補正を、適切に、かつ、簡易に行うことができる。
また、本発明では、画像形成装置の累積駆動時間に応じて、形成画像の画質を補正する際に利用される補正値が補正値更新手段により更新されるので、前述のプロジェクタのように、本発明の画像表示装置を工場等に持ち運ぶ必要がない。従って、形成画像の画質調整を容易に行うことができる。
さらに、表示された画像をカメラ等の撮像手段により撮像し、当該撮像された画像の状態に応じて補正値を更新する画像表示装置に比べ、構成を簡略化することができるだけでなく、画質調整の工程を簡略化することができる。
【００１０】
本発明では、前記記憶手段は、前記所定の画質を示す補正基準値を記憶する基準値記憶部を有し、前記補正値更新手段は、前記補正基準値に前記変化値を調整する補正値を生成する補正値生成部と、前記補正値生成部で生成された前記補正値で、前記補正値記憶部に記憶された前記補正値を更新する補正値更新部と、を備えることが好ましい。
【００１１】
本発明によれば、補正値生成部が、記憶手段の基準値記憶部に記憶された補正基準値に、現在の画像形成装置の累積駆動時間に応じた画質の変化値を調整する補正値を新たに生成し、当該補正値で、記憶手段の補正値記憶部に記憶された補正値が更新される。これによれば、画像形成装置の累積駆動時間から得られる形成画像の画質の変化値を、補正基準値に調整する補正値を生成することにより、現在の画像形成装置による形成画像の画質を、適切に調整することができる。従って、画像形成装置によって形成される画像の画質が、補正基準値に係る画質に合わせることができるので、適切な画質を維持することができる。
【００１２】
本発明では、前記制御装置に所定の動作を実行させる操作信号を出力する操作手段を備え、前記制御装置は、前記画像形成装置に、前記形成画像の画質を調整するメニュー画面を形成させるメニュー表示手段を備え、前記補正値更新手段は、前記メニュー画面の表示中に前記操作手段から入力する前記操作信号に応じて、前記補正基準値を更新する基準値更新部を備えることが好ましい。
【００１３】
本発明によれば、メニュー表示手段が生成したメニュー画面での操作により、補正値更新手段の基準値更新部が、記憶手段の基準値記憶部に記憶された補正基準値を更新するので、形成画像の画質を使用者の好みに合わせることができる。すなわち、補正値生成部が、メニュー画面での操作によって更新された補正基準値に、現在の画像形成装置の累積駆動時間に応じた変化値を調整する補正値を新たに生成することとなるので、当該補正値に基づいて画質補正手段により補正された形成画像の画質は、更新された補正基準値が示す画質とすることができる。従って、使用者のメニュー画面での操作に応じた画質補正を行うことができるので、画像形成装置で形成される画像の画質を、使用者の好みに応じた画質に設定することができる。
【００１４】
本発明では、前記画像形成装置は、光源と、前記光源から射出された光束を、前記画像情報に応じて変調して前記画像を形成する光変調装置と、前記光源から射出された光束の光路上に配置され、入射光束を光学的に変換する光学素子とを備え、前記計時手段は、前記光源の累積点灯時間を計時する第１計時部と、前記光変調装置および前記光学素子の少なくともいずれかの累積使用時間を計時する第２計時部とを備え、前記累積駆動時間は、前記第１計時部で計時された前記累積点灯時間、および、前記第２計時部で計時された前記累積使用時間を含むことが好ましい。
【００１５】
本発明によれば、計時手段の第１計時部が光源の累積点灯時間を計時し、第２計時部が光変調装置および光学素子の少なくともいずれかの累積使用時間を計時する。そして、補正値更新手段は、累積点灯時間および累積使用時間に応じた画質の変化値を記憶手段の変化値記憶部から取得し、当該変化値に基づいて記憶手段の補正値記憶部に記憶された補正値を更新する。これによれば、累積点灯時間によって輝度値が変化する光源、および、累積使用時間によって形成画像の色相等が変化する光変調装置および光学素子の状態に応じて、形成画像の画質を補正することができる。従って、現在の画像形成装置で形成表示される画像の画質を、より適切に調整することができる。
【００１６】
本発明では、前記光源は、交換可能に構成され、前記第１計時部は、前記光源が交換されると、前記累積点灯時間をリセットすることが好ましい。
ここで、光源から射出された光束を利用して画像を形成する画像表示装置では、寿命等の理由から光源を交換する場合がある。このような場合に、第１計時部が光源の累積点灯時間をそのまま計時し続けると、光源を交換したにも関らず、交換する前の輝度が低下した光源の設定で画像形成装置が画像を形成し続けることになり、形成画像が劣化することが考えられる。
これに対し、本発明では、第１計時部が、光源が交換されると、累積点灯時間をリセットすることにより、交換した光源の累積点灯時間を新たに計時することができる。従って、現在の画像表示装置の状況を一層正確に把握できるほか、これにより、形成画像の画質補正を一層正確に行うことができる。
【００１７】
本発明では、前記変化値は、前記画像形成装置で形成される白色画像の色座標値、および、前記光源から射出される光束の色座標値のうち、少なくともいずれかを含むことが好ましい。
本発明によれば、変化値としての白色画像の色座標値が変化値記憶部に記憶されていることにより、形成画像に含まれる複数の色画像を適切に補正することができる。すなわち、白色光は、各波長の色光が合わさった色光であるので、当該白色光である白色画像の色座標値に基づいて補正することにより、白色画像に含まれる各色画像を適切に補正することができる。
また、光源からの射出光束が画像形成に利用されているので、光源から射出された光束の色座標値が累積点灯時間に応じて変化すると、形成画像の色相等が変化する。これに対し、光源の累積点灯時間に応じた当該光源の射出光束の色座標値が変化値記憶部に記憶されていることにより、当該色座標値に基づいて補正値を生成し、当該補正値に基づいて画質補正を行うことにより、形成画像の色相等を適切な状態に維持することができる。
従って、形成画像の画質を、より適切に補正することができる。
【発明を実施するための最良の形態】
【００１８】
〔１．第１実施形態〕
以下、本発明の第１実施形態を図面に基づいて説明する。
（１−１）プロジェクタ１の全体構成
図１は、本実施形態に係るプロジェクタの構成を示すブロック図である。
本実施形態のプロジェクタ１は、光源から射出された光束を、入力する画像情報に応じて変調して画像を形成し、当該画像をスクリーンＳＣ等に拡大投射する画像表示装置である。
このプロジェクタ１は、図１に示すように、画像情報に応じた画像を形成する画像形成装置２と、当該画像形成装置２を含む装置全体を制御する制御装置３とを備える。また、プロジェクタ１は、操作パネル４およびリモコンインターフェース（以下、「リモコンＩＦ」と略す場合がある）５とを備える。
【００１９】
このうち、操作パネル４は、プロジェクタ１の外面に露出して設けられており、当該操作パネル４には、複数のキーが設けられている。そして、操作パネル４は、各キーが入力されると、当該キーに応じた制御信号を後述する制御装置３に出力する。このようなキーとして、例えば、プロジェクタ１の電源をオン／オフさせる電源キー、各種設定を行うメニュー画面を表示させるメニューキー、メニュー画面における選択操作を行う設定キー、および、選択を決定する決定キー等が設けられている。
【００２０】
リモコンＩＦ５は、外部機器としてのリモコン９から赤外線信号を受信し、当該赤外線信号をデジタル信号に変換して、当該デジタル信号を制御信号として制御装置３に出力する。なお、リモコン９には、操作パネル４と同様のキーが配設されている。そして、リモコン９は、各キーの入力に応じた赤外線信号を出力するように構成されている。すなわち、操作パネル４およびリモコン９は、本発明の操作手段に相当する。
【００２１】
（１−２）画像形成装置２の構成
図２は、画像形成装置２の光学系を示す模式図である。
画像形成装置２は、制御装置３による制御下で、入力する画像情報に応じた光学像を形成する。
この画像形成装置２は、図２に示すように、インテグレータ照明光学系２１、色分離光学系２２、リレー光学系２３、電気光学装置２４と、これら各光学系２１〜２４を内部の所定位置に収納配置する筐体２５と、投射レンズ２６とを備えている。
【００２２】
インテグレータ照明光学系２１は、光源から射出された光束を複数の部分光束に分割し、照明領域の面内照度を均一化する光学系である。このインテグレータ照明光学系２１は、光源装置２１１と、第１レンズアレイ２１２と、第２レンズアレイ２１３と、偏光変換素子２１４と、重畳レンズ２１５と、反射ミラー２１６とを備える。
【００２３】
光源装置２１１は、光源ランプ２１１Ａから射出された光束を一定方向に揃えて射出し、電気光学装置２４を照明するものである。この光源装置２１１は、光源ランプ２１１Ａと、リフレクタ２１１Ｂと、平行化凹レンズ２１１Ｃと、これらを内部に収納するランプボックス（図示省略）とを備えている。そして、光源ランプ２１１Ａから放射された光束は、リフレクタ２１１Ｂにより装置前方側に収束光として射出され、平行化凹レンズ２１１Ｃによって平行化され、第１レンズアレイ２１２に射出される。なお、光源装置２１１は、ランプボックスごと交換可能に構成されている。
【００２４】
第１レンズアレイ２１２は、光源装置２１１から射出された光束を複数の部分光束に分割するものであり、照明光軸Ａと直交する面内にマトリクス状に配列される複数の小レンズを備えて構成されている。
第２レンズアレイ２１３は、前述した第１レンズアレイ２１２により分割された複数の部分光束を集光する光学素子であり、第１レンズアレイ２１２と同様に照明光軸Ａに直交する面内にマトリクス状に配列される複数の小レンズを備えて構成されている。
【００２５】
偏光変換素子２１４は、第１レンズアレイ２１２により分割された各部分光束の偏光方向を略一方向の直線偏光に揃え、後述する電気光学装置２４で利用する光源光の利用率を向上させるものである。
重畳レンズ２１５は、第１レンズアレイ２１２、第２レンズアレイ２１３、および偏光変換素子２１４を経た複数の部分光束を集光して、当該光束を電気光学装置２４を構成する後述する液晶パネル２４３の画像形成領域上に重畳させる。この重畳レンズ２１５から射出された光束は、反射ミラー２１６で曲折されて色分離光学系２２に射出される。
【００２６】
色分離光学系２２は、２枚のダイクロイックミラー２２１，２２２と、反射ミラー２２３とを備え、ダイクロイックミラー２２１，２２２によりインテグレータ照明光学系２１から射出された複数の部分光束を、赤（Ｒ）、緑（Ｇ）、青（Ｂ）の３色の色光に分離する機能を具備する。
ダイクロイックミラー２２１，２２２は、基板上に、所定の波長領域の光束を反射し、他の波長の光束を透過する波長選択膜が形成された光学素子である。これらのうち、光路前段に配置されるダイクロイックミラー２２１は、青色光を反射し、その他の色光を透過する。また、光路後段に配置されるダイクロイックミラー２２２は、緑色光を反射し、赤色光を透過する。
【００２７】
リレー光学系２３は、入射側レンズ２３１、リレーレンズ２３３および反射ミラー２３２，２３４を備え、色分離光学系２２を構成するダイクロイックミラー２２２を透過した赤色光を電気光学装置２４まで導く機能を有している。ここで、赤色光の光路にリレー光学系２３が設けられているのは、赤色光の光路長が他の色光の光路長よりも長いため、光の発散等による光の利用効率の低下を防止するためである。なお、本実施形態においては、赤色光の光路長を長くする構成としているが、例えば、青色光の光路長を長くする構成としてもよい。このような場合、青色光の光路上にリレー光学系２３を配置すればよい。
【００２８】
前述したダイクロイックミラー２２１により分離された青色光は、反射ミラー２２３により曲折された後、フィールドレンズ２４１を介して電気光学装置２４に供給される。また、ダイクロイックミラー２２２により分離された緑色光は、そのままフィールドレンズ２４１を介して電気光学装置２４に供給される。さらに、赤色光は、リレー光学系２３を構成するレンズ２３１，２３３および反射ミラー２３２，２３４により集光、曲折されてフィールドレンズ２４１を介して電気光学装置２４に供給される。なお、電気光学装置２４の各色光の光路前段に設けられたフィールドレンズ２４１は、第２レンズアレイ２１３から射出された各部分光束を、照明光軸Ａに対して平行な光束に変換する。
【００２９】
電気光学装置２４は、後述する制御装置４による制御下で、入射した光束を変調してカラー画像を形成する画像形成装置である。
電気光学装置２４は、３つの入射側偏光板２４２と、３つの液晶パネル２４３（赤色光側の液晶パネルを２４３Ｒ、緑色光側の液晶パネルを２４３Ｇ、青色光側の液晶パネルを２４３Ｂとする）と、３つの射出側偏光板２４４と、クロスダイクロイックプリズム２４５とを備える。そして、入射側偏光板２４２、液晶パネル２４３および射出側偏光板２４４によって入射する各色光の光変調が行われる。
【００３０】
入射側偏光板２４２は、色分離光学系２２で分離された各色光が入射され、入射された光束のうち、一定方向の偏光光のみを透過させ、その他の光束を吸収する。
射出側偏光板２４４は、入射側偏光板２４２と同様の構成とされ、液晶パネル２４３から射出された光束のうち、所定方向の偏光光のみを透過させ、その他の光束を吸収する。
そして、これらの入射側偏光板２４２および射出側偏光板２４４は、入射光を透過させる偏光軸の方向が互いに直交するように設定されている。
【００３１】
液晶パネル２４３は、本発明の光変調装置に相当し、一対の透明なガラス基板に電気光学物質である液晶を密閉封入したものであり、例えば、ポリシリコンＴＦＴ（Thin Film Transistor）をスイッチング素子として有している。そして、液晶パネル２４３は、後述する制御装置４により与えられた駆動信号にしたがって、入射側偏光板２４２から射出された偏光光束の偏光方向を変調して画像を形成する。なお、スイッチング素子としてＴＦＤ（Thin Film Diode）を用いた液晶パネルを採用することもできる。
クロスダイクロイックプリズム２４５は、本発明の色合成光学装置に相当し、射出側偏光板２４４から射出された色光毎に変調された光学像を合成してカラー画像を形成する。
【００３２】
投射レンズ２６は、電気光学装置２４で形成されたカラー画像をスクリーンＳＣ等の被投射物に拡大投射する投射光学系である。この投射レンズ２６は、詳しい図示を省略したが、複数のレンズが組み合わされた組レンズとして構成され、これら複数のレンズは、レンズ保持筒２６１内に収納されている。
【００３３】
（１−３）制御装置３の構成
制御装置３は、前述のように、画像形成装置２を含むプロジェクタ１の装置全体を制御する。この制御装置３は、図１に示すように、画像情報処理手段３１、画質補正手段３２、パネル駆動手段３３、計時手段３４、補正値更新手段３５および記憶手段３６を備えて構成されている。
【００３４】
このうち、記憶手段３６は、プロジェクタ１の駆動に際して必要な各種データを記憶している。この記憶手段３６には、補正値記憶部３６１、変化値記憶部３６２および基準値記憶部３６３が設けられている。
補正値記憶部３６１は、後述する画質補正手段３２により、各液晶パネル２４３Ｒ，２４３Ｇ，２４３Ｂで形成される各色画像の補正を行う際の補正値を記憶している。この補正値は、後述する補正値更新手段３５により、更新可能とされている。
【００３５】
変化値記憶部３６２は、前述の画像形成装置２による形成画像の画質の変化値を記憶している。具体的に、変化値記憶部３６２は、光源装置２１１を構成する光源ランプ２１１Ａの累積点灯時間に応じた射出光束の色座標値と、前述の画像形成装置２を構成する光学部品のうち、光源ランプ２１１Ａを除いた光学部品の累積駆動時間に応じた白色画像の色座標値とを記憶している。すなわち、本実施形態では、形成画像の画質の変化値として、光源ランプ２１１Ａの累積点灯時間に応じた当該光源ランプ２１１Ａから射出される光束の色座標値、および、光学部品の累積使用時間に応じた当該光学部品により形成される白色画像の色座標値が、変化値記憶部３６２に記憶されている。
【００３６】
図３は、光源ランプ２１１Ａの射出光束の経時変化特性を示す図である。すなわち、図３は、光源ランプ２１１Ａの累積点灯時間に応じた射出光束のｘ座標値およびｙ座標値の変化を示す図である。また、図４は、光学部品の累積駆動時間に応じた当該光学部品により形成される白色画像の経時変化特性を示す図であり、当該白色画像のｙ座標の色度変化を示す図である。なお、図３および図４においては、プロットした各点（四角）が実測値であり、実線が当該実測値の近似直線であり、また、点線が後述する補正基準値を示している。
【００３７】
ここで、光源ランプ２１１Ａおよび光学部品の経時変化に起因する形成画像の変化について説明する。
光源ランプ２１１Ａにおいては、累積点灯時間に応じて射出光束の輝度比率、すなわち、色座標値（ｘ，ｙ）が変化する。具体的に、図３に示すように、光源ランプ２１１Ａの累積点灯時間が０時間の時の射出光束の色座標値は、ｘ＝０．３２８、ｙ＝０．３８８であるのに対し、累積点灯時間が８００時間の時は、ｘ＝０．３３１、ｙ＝０．３９６となり、また、累積点灯時間が２０００時間の時は、ｘ＝０．３３３、ｙ＝０．３９６となる。このように、光源ランプ２１１Ａの累積点灯時間に対して当該光源ランプ２１１Ａの射出光束の色座標値は一定でなく、当該色座標値（ｘ，ｙ）は、それぞれ増加傾向にある。このため、光源ランプ２１１Ａからの射出光束から形成される画像の色相等は、光源ランプ２１１Ａの累積点灯時間に応じて変化することとなる。
【００３８】
また、液晶パネル２４３や、入射側偏光板２４２、射出側偏光板２４３および偏光変換素子２１４を構成する各偏光板等の各光学素子（以下、液晶パネル２４３および各光学素子を総称して「光学部品」と略す場合がある）の経時変化により、画像形成装置２で形成される画像の画質は変化する。
具体的に、光源ランプ２１１Ａを除いた画像形成装置２の光学部品は、光源ランプ２１１Ａから射出される光束、例えば、紫外線が入射することで劣化する。このため、図４に示すように、これら光学部品の累積使用時間に応じて、形成される白色画像の色座標値（ｙ座標値）は増加傾向にあり、プロジェクタ１の使用当初に比べて形成画像の画質が劣化する。
【００３９】
このような光源ランプ２１１Ａの累積点灯時間に応じた色座標値変化の近似式（図３中の実線の式）、および、光学部品の累積使用時間に応じた色座標値変化の近似式（図４中の実線の式）を、変化値記憶部３６２は記憶している。
また、基準値記憶部３６３は、当該各近似式から算出される光源ランプ２１１Ａの累積点灯時間が０時間である時の射出光束の色座標値（ｘ＝０．３２８、ｙ＝０．３８８）、および、光学部品の累積使用時間が０時間である時の色座標値（ｙ＝０．３４７５）を、補正基準値として記憶している。
【００４０】
図１に戻り、制御装置３の画像情報処理手段３１は、プロジェクタ１に入力する画像情報をデジタル処理して内部処理可能なデジタル情報に変換し、当該デジタル情報を画質補正手段３２に出力する。
画質補正手段３２は、画像情報処理手段３１から入力した画像情報に対して、記憶手段３６の補正値記憶部３６１に記憶された補正値に基づく補正を行う。そして、画質補正手段３２は、補正した画像情報をパネル駆動手段３３に出力する。
パネル駆動手段３３は、各液晶パネル２４３と接続され、入力する画像情報に応じて、各液晶パネル２４３を駆動する。これにより、各液晶パネル２４３で画像が形成される。
【００４１】
計時手段３４は、画像形成装置２の累積駆動時間を測定する。
具体的に、計時手段３４は、光源ランプ２１１Ａの累積点灯時間を計時する第１計時部３４１と、画像形成装置２における光源ランプ２１１Ａを除く光学部品の累積使用時間を計時する第２計時部３４２とを備えて構成されている。なお、第１計時部３４１は、光源ランプ２１１Ａが交換された際には、当該光源ランプ２１１Ａの累積点灯時間をリセットし、新たに交換された光源ランプ２１１Ａの累積点灯時間を計時する。すなわち、本発明の累積駆動時間は、本実施形態においては、光源ランプ２１１Ａの累積点灯時間、および、光学部品の累積使用時間である。
【００４２】
補正値更新手段３５は、計時手段３４の第１計時部３４１により計時された光源ランプ２１１Ａの累積点灯時間、および、第２計時部３４２により計時された光学部品の累積使用時間に応じて、記憶手段３６の補正値記憶部３６１に記憶された補正値を更新する。この補正値更新手段３５は、累積点灯時間取得部３５１、累積使用時間取得部３５２、変化値取得部３５３、補正値生成部３５４および補正値更新部３５５を備えて構成されている。
【００４３】
累積点灯時間取得部３５１および累積使用時間取得部３５２は、それぞれ計時手段３４の第１計時部３４１および第２計時部３４２で計時した光源ランプ２１１Ａの累積点灯時間、および、光学部品の累積使用時間を取得する。
変化値取得部３５３は、累積点灯時間取得部３５１および累積使用時間取得部３５２で取得した光源ランプ２１１Ａの累積点灯時間、および、光学部品の累積使用時間に応じたそれぞれの色座標値を、記憶手段３６の変化値記憶部３６２から取得する。
例えば、累積点灯時間および累積使用時間がともに５００時間である場合には、変化値取得部３５３は、変化値記憶部３６２に記憶された光源ランプ２１１Ａの射出光束の色座標値変化の近似式から、色座標値（ｘ＝０．３３０、ｙ＝０．３９１）を取得し、また、光学部品の色座標値の近似式から、色座標値（ｙ＝０．３４９）を取得する。
【００４４】
補正値生成部３５４は、変化値取得部３５３で取得された光源ランプ２１１Ａの累積点灯時間に応じた射出光束の色座標値、および、光学部品の累積使用時間に応じた白色画像の色座標値から、現在の画像形成装置２の状況に合った補正値を生成する。
具体的に、補正値生成部３５４は、まず、記憶手段３６の基準値記憶部３６３に記憶された補正基準値のうち、光源ランプ２１１Ａの射出光束の補正基準値である色座標値（ｘ＝０．３２８、ｙ＝０．３８８）、および、光学部品により形成される白色画像の補正基準値である色座標値（ｙ＝０．３４７５）を取得する。そして、補正値生成部３５４は、変化値取得部３５３で取得した光源ランプ２１１Ａの累積点灯時間に応じた射出光束の色座標値を、当該射出光束に係る補正基準値に合わせ、変化値取得部３５３で取得した光学部品の累積使用時間に応じた白色画像の色座標値を、当該白色画像に係る補正基準値に合わせる補正値を新たに生成する。
【００４５】
例えば、補正値生成部３５４は、光源ランプ２１１Ａの累積点灯時間および光学部品の累積使用時間がともに５００時間である場合には、変化値取得部３５３で取得した光源ランプ２１１Ａの射出光束に係る色座標値（ｘ＝０．３３０、ｙ＝０．３９１）を、当該光源ランプ２１１Ａの射出光束に係る補正基準値である色座標値（ｘ＝０．３２８、ｙ＝０．３８８）に調整し、光学部品により形成される白色画像の色座標値（ｙ＝０．３４９）を、当該白色画像に係る補正基準値である色座標値（ｙ＝０．３４７５）に調整する補正値を生成する。
そして、補正値更新部３５５は、補正値生成部３５４で生成された補正値で、記憶手段３６の補正値記憶部３６１に記憶された補正値を更新する。
【００４６】
（１−４）画質調整処理
図５は、制御装置３による画質調整処理の処理フローを示す図である。
本実施形態の制御装置３は、以下に述べる画質調整処理を常に実行して、光源ランプ２１１Ａの累積点灯時間および光学部品の累積使用時間に応じて、記憶手段３６の補正値記憶部３６１に記憶された補正値を更新し、画質補正手段３２が当該補正値に基づいて形成画像の画質を調整することで、画像形成装置２の現在の状況に応じた形成画像の画質調整を行う。
この画質調整処理では、図５に示すように、まず、補正値更新手段３５の累積点灯時間取得部３５１が、計時手段３４の第１計時部３４１で計時された光源ランプ２１１Ａの累積点灯時間を取得する（ステップＳ１１）。
そして、当該補正値更新手段３５の累積使用時間取得部３５２が、計時手段３４の第２計時部３４２で計時された光学部品の累積使用時間を取得する（ステップＳ１２）。
【００４７】
次に、変化値取得部３５３が、記憶手段３６の変化値記憶部３６２から、累積点灯時間取得部３５１で取得した累積点灯時間に応じた射出光束の色座標値と、累積使用時間取得部３５２で取得した累積使用時間に応じた白色画像の色座標値とを取得する（ステップＳ１３）。
この後、補正値生成部３５４が、記憶手段３６の基準値記憶部３６３に記憶された光源ランプ２１１Ａの射出光束に係る補正基準値である色座標値、および、白色画像に係る補正基準値である色座標値を取得する。そして、補正値生成部３５４は、変化値取得部３５３で取得したそれぞれの色座標値を、補正基準値であるそれぞれの色座標値に調整する補正値を生成する（ステップＳ１４）。
【００４８】
そして、補正値更新部３５５が、補正値生成部３５４で生成された補正値で、記憶手段３６の補正値記憶部３６１に記憶された補正値を更新する（ステップＳ１５）。
この後、画質補正手段３２が、補正値記憶部３６１に記憶された補正値に基づいて、画像情報処理手段３１から入力する画像情報を補正することで、パネル駆動手段３３に出力し、当該パネル駆動手段３３により、補正された画質の画像が形成される（ステップＳ１６）。
以上により、画質調整処理が終了する。
【００４９】
以上のような本実施形態のプロジェクタ１によれば、以下の効果を奏することができる。
すなわち、計時手段３４の第１計時部３４１により計時された光源ランプ２１１Ａの累積点灯時間に応じた射出光束の色座標値、および、第２計時部３４２により計時された光学部品の累積使用時間に応じた白色画像の色座標値を、補正値更新手段３５の変化値取得部３５３が、記憶手段３６の変化値記憶部３６２から取得する。そして、補正値生成部３５４が、記憶手段３６の基準値記憶部３６３に記憶されたそれぞれの補正基準値である色座標値に、変化値取得部３５３で取得したそれぞれの色座標値を調整する補正値を、新たに生成する。そして、補正値更新部３５５が、生成された補正値で補正値記憶部３６１に記憶された補正値を更新する。
これによれば、補正基準値に、現在の画像形成装置２で形成される画像の画質を合わせることができるので、当該画像形成装置２で形成される画像の画質補正を、適切に、かつ、簡易に行うことができる。
また、補正値記憶部３６１に記憶された補正値の更新は常に行われるので、面倒な画質調整を使用者が行う必要が無く、常に適切に画質補正した画像を形成することができる。
【００５０】
また、補正値更新手段３５が、光源ランプ２１１Ａの累積点灯時間および光学部品の累積使用駆動時間に応じて、形成画像の画質を補正する際に利用される補正値を更新するので、形成画像の画質調整のために、プロジェクタ１を工場等に持ち運ぶ必要がない。従って、形成画像の画質調整を容易に行うことができる。
【００５１】
さらに、補正値更新手段３５の補正値生成部３５４は、光源ランプ２１１Ａの累積点灯時間に応じた射出光束の色座標値、および、光学部品の累積使用時間に応じた白色画像の色座標値に基づいて、当該各色座標値を補正基準値に調整する補正値を生成する。これによれば、画像形成装置２で形成される画像の画質に影響の大きい光源ランプ２１１Ａおよび光学部品の劣化に応じた形成画像の画質補正を行うことができる。従って、より適切な画質補正を行った画像を形成、投射することができる。
【００５２】
加えて、計時手段３４の第１計時部３４１は、光源ランプ２１１Ａが交換されると、計時していた累積点灯時間をリセットし、新たに交換された光源ランプ２１１Ａの累積点灯時間を計時する。これによれば、寿命等により光源ランプ２１１Ａが交換された場合でも、プロジェクタ１に新たに取り付けられた光源ランプ２１１Ａの累積点灯時間を正確に計時することができ、これにより、補正値の更新を適切に行うことができる。従って、現在の画像形成装置２の画像形成状況に応じた画質補正を、確実かつ適切に行うことができる。
【００５３】
〔２．第２実施形態〕
次に、本発明の第２実施形態に係るプロジェクタ１Ａについて説明する。
本実施形態のプロジェクタ１Ａは、第１実施形態で示したプロジェクタ１と同様の構成を備えるが、画質調整を手動で実施可能に構成されている点で、プロジェクタ１と相違する。なお、以下の説明では、既に説明した部分と同一または略同一である部分については、同一の符号を付して説明を省略する。
【００５４】
（２−１）プロジェクタ１Ａの全体構成
図６は、本実施形態に係るプロジェクタ１Ａの構成を示すブロック図である。
プロジェクタ１Ａは、前述のプロジェクタ１と同様に、入力する画像情報に応じた画像を形成し、当該画像をスクリーンＳＣに投射するものである。このプロジェクタ１Ａは、図６に示すように、画像形成装置２、制御装置３Ａ、操作パネル４およびリモコンＩＦ５を備えて構成されている。
このうち、操作パネル４には、プロジェクタ１によって形成、投射される画像の画質を調整するメニュー画面を表示させる画質調整キー４１が設けられている。また、リモコン９にも、同様の画質調整キー９１が設けられ、当該画質調整キー９１の入力とともにリモコン９から出力される赤外線信号は、リモコンＩＦ５によって受光される。
【００５５】
（２−２）制御装置３Ａの構成
制御装置３Ａは、前述の制御装置３と同様に、画像形成装置２の光源ランプ２１１Ａの点灯および液晶パネル２４３の駆動を含む装置全体を制御する。この制御装置３Ａは、画像情報処理手段３１、画質補正手段３２、パネル駆動手段３３、計時手段３４、補正値更新手段３５Ａ、記憶手段３６およびメニュー表示手段３７を備えて構成されている。
【００５６】
このうち、補正値更新手段３５Ａは、前述の補正値更新手段３５と同様に、画像形成装置２を構成する光源ランプ２１１Ａの累積点灯時間および光学部品の累積使用時間に応じて、記憶手段３６の補正値記憶部３６１に記憶された補正値を更新して、形成画像の画質調整を行う。また、補正値更新手段３５Ａは、投影されるメニュー画面での操作により、形成画像の画質を手動にて調整可能に構成されている。
この補正値更新手段３５Ａは、累積点灯時間取得部３５１、累積使用時間取得部３５２、変化値取得部３５３、補正値生成部３５４Ａ、基準値更新部３５６および補正値更新部３５５Ａを備えて構成されている。
【００５７】
このうち、補正値生成部３５４Ａは、変化値取得部３５３により取得した光源ランプ２１１Ａの累積点灯時間に応じた当該光源ランプ２１１Ａの射出光束の色座標値、および、光学部品の累積使用時間に応じた当該光学部品で形成される白色画像の色座標値を、記憶手段３６の基準値記憶部３６３に記憶された射出光束に係る補正基準値、および、白色画像に係る補正基準値に調整する補正値を新たに生成する。また、補正値生成部３５４Ａは、後述する基準値更新部３５６により更新されたそれぞれの補正基準値に、累積点灯時間に応じた射出光束の色座標値、および、累積使用時間に応じた白色画像の色座標値を調整する補正値を新たに生成する。そして、補正値生成部３５４Ａは、これら生成した補正値を、記憶手段３６に一時的に記憶させる。
【００５８】
基準値更新部３５６は、後述するメニュー表示手段３７によって形成される画質調整メニュー画面（以下、「画質調整画面」と略す場合がある）での操作に応じて補正基準値を更新する。
補正値更新部３５５Ａは、画質調整画面においてＯＫキーＫ１（図７参照）が入力されると、補正値生成部３５４Ａにより生成された補正値で、記憶手段３６の補正値記憶部３６１に記憶された補正値を更新する。
【００５９】
図７は、画質調整メニュー画面の一例を示す図である。
メニュー表示手段３７は、プロジェクタ１の各種設定を行うためのメニュー画面の画像情報を生成し、当該画像情報をパネル駆動手段３３に出力することで、画像形成装置２にメニュー画面を形成させる。このメニュー表示手段３７は、操作パネル４の画質調整キー４１が入力された場合、または、リモコン９の画質調整キー９１が入力され、当該画質調整キー９１の入力に応じて出力される赤外線信号をリモコンＩＦ５が受光した場合に、例えば、図７に示すような画質調整画面ＶＭを生成する。
【００６０】
具体的に、メニュー表示手段３７は、画質調整画面ＶＭを、プロジェクタ１から投射される投射画像の表示領域ＤＡ内に表示されるＯＳＤ（On Screen Display）メニューとして形成する。そして、メニュー表示手段３７は、画質調整画面ＶＭを構成するメニュー表示領域ＭＡ内に、カラー表示領域ＣＡ、スクロールバーＳＢ、ＯＫキーＫ１およびキャンセルキーＫ２を表示させる。
【００６１】
カラー表示領域ＣＡには、左から順に、シアン（Ｃ）、マゼンダ（Ｍ）、イエロー（Ｙ）、白（Ｗ）、赤（Ｒ）、緑（Ｇ）、青（Ｂ）のカラーパターンが表示される。
スクロールバーＳＢは、使用者による操作パネル４およびリモコン９の操作により左右に移動することで、カラー表示領域ＣＡに表示される各色の表示状態を切り替えるように表示される。なお、スクロールバーＳＢの可動バーは、初期表示状態では最も左側に位置している。
ＯＫキーＫ１は、当該画質調整画面ＶＭにて設定された画質に形成画像の画質に設定する際に入力されるキーであり、また、キャンセルキーＫ２は、設定された画質をキャンセルする際に入力されるキーである。
【００６２】
ここで、画質調整画面ＶＭにおける画質調整について説明する。
メニュー表示手段３７は、まず、画質調整画面ＶＭの画像情報を生成する。そして、メニュー表示手段３７は、補正値生成部３５４Ａによって生成され、記憶手段３６に一時的に記憶された補正値に応じて、生成した画質調整画面ＶＭの画像情報を補正し、当該画像情報をパネル駆動手段３３に出力する。このため、カラー表示領域ＣＡに表示されるカラーパターンは、画質調整画面ＶＭの初期表示状態では、補正値生成部３５４Ａによって生成された補正値に基づく画質補正が行われた各色が表示される。
【００６３】
この後、使用者によりスクロールバーＳＢが操作されると、基準値更新部３５６が、記憶手段３６の基準値記憶部３６３に記憶された光源ランプ２１１Ａの射出光束に係る補正基準値を、当該光源ランプ２１１Ａの累積点灯時間−射出光束の色座標値（ｘ座標値およびｙ座標値）の近似直線（図３参照）上を変動するように更新し、また、光学部品により形成される白色画像に係る補正基準値を、光学部品の累積使用時間−白色画像の色座標値の近似直線（図４参照）上を変動するように更新する。
【００６４】
具体的に、画質調整画面ＶＭにおいて、使用者の操作によりスクロールバーＳＢが図５に示す右側に移動されると、図３において示した光源ランプ２１１Ａの累積点灯時間−射出光束の色座標値の近似直線に沿って、射出光束の補正基準値である色座標値（ｘ座標値およびｙ座標値）を増加させ、図４において示した光学部品の累積使用時間−白色画像の色座標値の近似直線に沿って、白色画像の補正基準値である色座標値を増加させる。すなわち、スクロールバーＳＢが右側に移動されると、図３において点線で示した射出光束に係る補正基準値である色座標値（ｘ座標値およびｙ座標値）が上方に移動し、図４において点線で示した白色画像に係る補正基準値である色座標値が上方に移動する。
【００６５】
また、画質調整画面ＶＭにおいて、使用者の操作によりスクロールバーＳＢが図５に示す左側に移動されると、光源ランプ２１１Ａの累積点灯時間−射出光束の色座標値の近似直線に沿って、補正基準値である色座標値（ｘ座標値およびｙ座標値）を減少させ、図４において示した光学部品の累積使用時間−白色画像の色座標値の近似直線に沿って、白色画像の補正基準値である色座標値を減少させる。すなわち、スクロールバーＳＢが左側に移動されると、図３において点線で示した射出光束に係る補正基準値が下方に移動し、図４において点線で示した白色画像に係る補正基準値が下方に移動する。
【００６６】
そして、補正値生成部３５４Ａは、図３および図４にて示した近似直線から求められる現在の累積点灯時間に応じた射出光束の色座標値および累積使用時間に応じた白色画像の色座標値を、移動後のそれぞれの補正基準値に調整する補正値を新たに生成する。そして、補正値生成部３５４Ａは、当該補正値を記憶手段３６に一時的に記憶させる。
この後、メニュー表示手段３７は、補正値生成部３５４Ａにより新たに生成され、記憶手段３６に一時的に記憶された補正値で、シアン（Ｃ）、マゼンダ（Ｍ）、イエロー（Ｙ）、白（Ｗ）、赤（Ｒ）、緑（Ｇ）、青（Ｂ）のカラーパターンを補正して、当該カラーパターンを画質調整画面ＶＭのカラー表示領域ＣＡに表示する。これにより、使用者は、画質の調整具合を視覚的に把握することができる。
【００６７】
そして、画質調整画面ＶＭにおいて、使用者の操作により、ＯＫキーＫ１が入力されると、補正値更新部３５５Ａが、記憶手段３６に一時的に記憶された補正値で、当該記憶手段３６の補正値記憶部３６１に記憶された補正値を更新する。
一方、画質調整画面ＶＭおいて、使用者に操作により、キャンセルキーＫ２が入力されると、メニュー表示手段３７は、画質調整画面ＶＭの画像形成を停止し、パネル駆動手段３３は、画像情報処理手段３１から画質補正手段３２を介して入力する画像情報に応じて液晶パネル２４３を駆動して、当該画像情報に応じた画像を形成する。なお、キャンセルキーＫ２が入力された場合で、既に記憶手段３６の基準値記憶部３６３に記憶された補正基準値が更新されている場合には、当該補正基準値を更新される前の値に戻す。
【００６８】
（２−３）画質調整処理
図８は、制御装置３Ａによる画質調整処理の処理フローを示す図である。
本実施形態の制御装置３Ａは、以下に述べる画質調整処理を実行して、画質調整を行う。本実施形態の画質調整処理は、前述した第１実施形態の画質調整処理が常に実行されるのに対して、使用者により操作パネル４またはリモコン９の画質調整キー４１，９１が入力されると実行される。
この画質調整処理では、図８に示すように、まず、前述した第１実施形態の画質調整処理のＳ１１〜Ｓ１４と同様の処理を実行する。すなわち、画質調整処理では、画質調整キー４１，９１が入力されると、制御装置３Ａの補正値更新手段３５Ａを構成する累積点灯時間取得部３５１が、計時手段３４の第１計時部３４１により計時された光源ランプ２１１Ａの累積点灯時間を取得する（ステップＳ２１）。
そして、累積使用時間取得部３５２が、計時手段３４の第２計時部３４２により計時された光学部品の累積使用時間を取得する（ステップＳ２２）。
【００６９】
次に、変化値取得部３５３が、取得された光源ランプ２１１Ａの累積点灯時間に基づく当該光源ランプ２１１Ａの射出光束の色座標値、および、光学部品の累積使用時間に基づく当該光学部品で形成される白色画像の色座標値を、記憶手段３６の変化値記憶部３６２から取得する（ステップＳ２３）。
この後、補正値生成部３５４Ａが、取得された射出光束の色座標値および白色画像の色座標値を、基準値記憶部３６３に記憶された光源ランプ２１１Ａの射出光束に係る補正基準値、および、光学部品により形成される白色画像に係る補正基準値に調整する補正値を生成し、当該補正値を記憶手段３６に一時的に記憶させる（ステップＳ２４）。
【００７０】
そして、メニュー表示手段３７が、画質調整画面ＶＭの画像情報を生成し、当該画像情報をパネル駆動手段３３に出力して、画質調整画面ＶＭを形成させる（ステップＳ２５）。この際、メニュー表示手段３７は、画質調整画面ＶＭにおけるカラー表示領域ＣＡに、補正値生成部３５４Ａにより生成され記憶手段３６の一時的に記憶された補正値によって補正されたカラーパターンを表示させる。
【００７１】
この画質調整画面ＶＭにて、使用者の操作により、スクロールバーＳＢが移動されると、基準値更新部３５６は、当該スクロールバーＳＢの移動した位置に応じて、基準値記憶部３６３に記憶された光源ランプ２１１Ａの射出光束に係る補正基準値、および、光学部品により形成される白色画像に係る補正基準値を更新する（ステップＳ２６）。
そして、補正値生成部３５４Ａは、更新された補正基準値に応じた補正値を新たに生成し（ステップＳ２７）、当該補正値を記憶手段３６に一時的に記憶させる。これにより、画質調整画面ＶＭのカラー表示領域ＣＡには、新たに生成された補正値に基づく補正が行われたカラーパターンが表示される。
【００７２】
そして、使用者の操作により、画質調整画面ＶＭのＯＫキーＫ１が入力されると、補正値更新部３５５Ａが、記憶手段３６に一時的に記憶された補正値で、当該記憶手段３６の補正値記憶部３６１に記憶された補正値を更新する（ステップＳ２８）。
この後、画質補正手段３２は、補正値記憶部３６１に記憶され、更新された補正値を参照して、当該補正値に基づいて、画像情報処理手段３１から入力する画像情報を補正して、当該画像情報をパネル駆動手段３３に出力する。これにより、新たに設定された補正値に基づく画質補正が行われる（ステップＳ２９）。
以上により、画質調整処理が終了する。
【００７３】
以上のような、本実施形態のプロジェクタ１Ａによれば、第１実施形態にて示したプロジェクタ１と同様の効果を奏することができるほか、以下の効果を奏することができる。
すなわち、メニュー表示手段３７が、画質調整画面ＶＭを画像形成装置２に形成させ、当該画質調整画面ＶＭでの操作に応じて、補正値更新手段３５の基準値更新部３５６が、記憶手段３６の基準値記憶部３６３に記憶された補正基準値を更新する。これによれば、更新された補正基準値に応じて補正値を更新することができる。従って、使用者の好みに合わせて、形成画像の画質を容易に調整することができる。
また、画質調整画面ＶＭでは、更新した補正基準値に応じた補正値に基づいて補正されたカラーパターンがカラー表示領域に表示されるので、使用者がカラーパターンを確認しながら画質調整操作を実行することができる。従って、画質調整を容易に行うことができる。
【００７４】
〔３．実施形態の変形〕
なお、本発明は前述の実施形態に限定されるものではなく、本発明の目的を達成できる範囲での変形、改良等は本発明に含まれるものである。
例えば、前記第１実施形態では、画質調整処理は、プロジェクタ１の電源が入力され、画像形成装置２による画像形成が行われている際には常に行われるとしたが、光源ランプ２１１Ａの累積点灯時間および光学部品の累積使用時間が所定の時間を経過した場合に実施するようにしてもよい。
また、前記第２実施形態では、画質調整キー４１，９１が入力されると、画質調整処理を実行するとしたが、前述の第１実施形態のプロジェクタ１と同様に、光源ランプ２１１Ａの累積点灯時間および光学部品の累積使用時間に応じた補正値の生成および更新を、常に行うようにしてもよい。このような場合、画質調整キー４１，９１が入力されると、メニュー表示手段３７が画質調整画面ＶＭを形成し、当該画質調整画面ＶＭでの操作により、基準値更新部３５６が補正基準値を更新すればよい。そして、この後に自動で行われる補正値の更新は、当該更新された補正基準値に応じて行うようにすればよい。
【００７５】
前記各実施形態では、画像形成装置２の累積駆動時間は、光源ランプ２１１Ａの累積点灯時間および光学部品の累積使用時間としたが、本発明はこれに限らず、どちらか一方であってもよい。また、液晶パネル２４３や他の光学素子が交換可能に構成されている場合には、これらの累積使用時間を独立して計時するようにしてもよい。
【００７６】
前記各実施形態では、画像形成装置２が平面視略Ｌ字形状を有した構成を説明したが、これに限らず、例えば、平面視略Ｕ字形状を有した構成を採用してもよい。
また、前記各実施形態では、光束入射面と光束射出面とが異なる透過型の液晶パネル２４３を用いていたが、光入射面と光射出面とが同一となる反射型の液晶パネルを用いてもよい。
さらに、前記各実施形態のプロジェクタ１では、３つの液晶パネル２４３Ｒ，２４３Ｇ，２４３Ｂを用いたが、本発明はこれに限らない。すなわち、２つ、あるいは、４つ以上の液晶パネルを用いたプロジェクタにも、本発明を適用可能である。
【００７７】
前記各実施形態では、光変調装置として液晶パネル２４３を備えたプロジェクタ１を例示したが、入射光束を画像情報に応じて変調して光学像を形成する光変調装置であれば、他の構成の光変調装置を採用してもよい。例えば、有機ＥＬ（ElectroLuminescence）やマイクロミラーを用いたデバイスなど、液晶層以外の光変調装置を用いたプロジェクタにも、本発明を適用することも可能である。このような光変調装置を用いた場合、光束入射側および光束射出側の偏光板２４２，２４４は、省略することができる。
【００７８】
前記各実施形態では、スクリーンを観察する方向から画像投射を行なうフロントタイプのプロジェクタ１のみを例示したが、本発明は、スクリーンを観察する方向とは反対側から画像投射を行なうリアタイプのプロジェクタにも適用可能である。
また、前記各実施形態では、画像表示装置として、プロジェクタを例示したが、本発明はこれに限らず、例えば、液晶ディスプレイ、プラズマディスプレイ、ＣＲＴ（Cathode-Ray Tube）ディスプレイ等の画像表示装置にも適用可能である。
【産業上の利用可能性】
【００７９】
本発明は、プロジェクタに利用できる他、ディスプレイ等の画像表示装置に好適に利用することができる。
【図面の簡単な説明】
【００８０】
【図１】本発明の第１実施形態に係るプロジェクタの構成を示すブロック図。
【図２】前記実施形態における画像形成装置の光学系を示す模式図。
【図３】前記実施形態における光源ランプの射出光束の経時変化特性を示す図。
【図４】前記実施形態における光学部品により形成される白色画像の経時変化特性を示す図。
【図５】前記実施形態における画質調整処理の処理フローを示す図。
【図６】本発明の第２実施形態に係るプロジェクタの構成を示すブロック図。
【図７】前記実施形態における画質調整メニュー画面の一例を示す図。
【図８】前記実施形態における画質調整処理の処理フローを示す図。
【符号の説明】
【００８１】
１…プロジェクタ（画像表示装置）、２…画像形成装置、３…制御装置、４…操作パネル（操作手段）、９…リモコン（操作手段）、３２…画質補正手段、３４…計時手段、３５…補正値更新手段、３６…記憶手段、３７…メニュー表示手段、２１１Ａ…光源ランプ（光源）、２４３（２４３Ｒ，２４３Ｇ，２４３Ｂ）…液晶パネル（光変調装置）、３４１…第１計時部、３４２…第２計時部、３５４，３５４Ａ…補正値生成部、３５５，３５５Ａ…補正値更新部、３５６…基準値更新部、３６１…補正値記憶部、３６２…変化値記憶部、３６３…基準値記憶部。
【図１】
2007199290.tif 000003
【図２】
2007199290.tif 000004
【図３】
2007199290.tif 000005
【図４】
2007199290.tif 000006
【図５】
2007199290.tif 000007
【図６】
2007199290.tif 000008
【図７】
2007199290.tif 000009
【図８】
2007199290.tif 000010